(57)【特許請求の範囲】
【請求項１】
機器ケースに設けられた収納部の開口部を塞ぐための蓋部材を備える携帯機器において、
前記蓋部材は、前記機器ケースの外形の一部を形成する外側蓋部と、この外側蓋部の内側に取り付けられて前記収納部の前記開口部に挿脱可能に挿入する内側蓋部とを備え、
前記外側蓋部は環状に連続する外周部が形成されると共に、前記内側蓋部は前記外側蓋部の前記外周部に対応するように形成された外周部が形成され、前記外側蓋部に前記内側蓋部を取り付けることで、前記内側蓋部側からみて上側に設けられた前記外側蓋部における前記外周部の下面によって覆われることにより、前記内側蓋部の外周側のみに開放された構造となっている、前記外側蓋部の前記外周部と前記内側蓋部の前記外周部とにより前記内側蓋部の外周に沿って設けられたパッキン溝を備えており、
前記外側蓋部は、弾力を有する軟質の合成樹脂からなる第１蓋部と、この軟質の合成樹脂よりも硬質の合成樹脂からなる第２蓋部とを備え、これらが前記機器ケースに対する外側に前記第１蓋部が位置し、その内側に前記第２蓋部が位置した状態で、２色成形されていることを特徴とする携帯機器。
【請求項２】
請求項１に記載の携帯機器において、前記外側蓋部の前記第２蓋部における前記内側蓋部に対向する対向面には、補強リブが縦横に設けられていることを特徴とする携帯機器。
【請求項３】
請求項１または２に記載の携帯機器において、前記外側蓋部と前記内側蓋部とは、ねじ部材によって相互に固定されていることを特徴とする携帯機器。
【発明の詳細な説明】
【技術分野】
【０００１】
この発明は、携帯情報端末機（ＰＤＡ：パーソナル・デジタル・アシスタント）、携帯電話機、電子カメラなどの携帯機器に関する。
【背景技術】
【０００２】
例えば、電子カメラに用いられている電池蓋においては、特許文献１に記載されているように、カメラケース内に設けられた電池収納部を開閉可能に塞ぐ際に、電池収納部の開口部内に蓋本体の内側部が挿入し、この挿入した蓋本体の内側部の外周部に設けられた防水パッキンが電池収納部の開口部の内周面に密接することにより、防水性を図るように構成されたものが知られている。
【先行技術文献】
【特許文献】
【０００３】
【特許文献１】特開２００４−１５７２４０号公報
【０００４】
このような電子カメラの電池蓋は、電池収納部の開口部内に挿入する蓋本体の内側部における外周面にパッキン溝が、外周側のみに開放された状態で、外周に沿って連続して形成され、このパッキン溝に防水パッキンが挿入され、この挿入された防水パッキンの一部がパッキン溝から外周側に突出し、この状態で蓋本体の内側部を電池収納部の開口部内に挿入させた際に、パッキン溝から突出した防水パッキンの一部が電池収納部の開口部の内周面に弾接して密接するように構成されている。
【発明の概要】
【発明が解決しようとする課題】
【０００５】
しかしながら、このような電子カメラの電池蓋では、蓋本体の内側部における外周面に形成されたパッキン溝が、蓋本体の外周側のみに開放された形成であるから、蓋本体を成形用の金型で成形する際に、金型内にスライド機構を設けなければ、蓋本体の外周面にパッキン溝を形成することができないため、金型の構造が複雑になり、金型の製作が面倒で、金型費用および製品の価格が高くなるという問題がある。
【０００６】
この発明の課題は、成型用の金型が単純な構造で、機器ケースの防水性を確保できるようにすることである。
【課題を解決するための手段】
【０００７】
この発明は、上記課題を解決するために、次のような構成要素を備えている。
請求項１に記載の発明は、機器ケースに設けられた収納部の開口部を塞ぐための蓋部材を備える携帯機器において、前記蓋部材は、前記機器ケースの外形の一部を形成する外側蓋部と、この外側蓋部の内側に取り付けられて前記収納部の前記開口部に挿脱可能に挿入する内側蓋部とを備え、前記外側蓋部は環状に連続する外周部が形成されると共に、前記内側蓋部は前記外側蓋部の前記外周部に対応するように形成された外周部が形成され、前記外側蓋部に前記内側蓋部を取り付けることで、前記内側蓋部側からみて上側に設けられた前記外側蓋部における前記外周部の下面によって覆われることにより、前記内側蓋部の外周側のみに開放された構造となっている、前記外側蓋部の前記外周部と前記内側蓋部の前記外周部とにより前記内側蓋部の外周に沿って設けられたパッキン溝を備えており、前記外側蓋部は、弾力を有する軟質の合成樹脂からなる第１蓋部と、この軟質の合成樹脂よりも硬質の合成樹脂からなる第２蓋部とを備え、これらが前記機器ケースに対する外側に前記第１蓋部が位置し、その内側に前記第２蓋部が位置した状態で、２色成形されていることを特徴とする携帯機器である。
【発明の効果】
【００１１】
この発明によれば、成型用の金型が単純な構造で、機器ケースの防水性を確保することができる。
【図面の簡単な説明】
【００１３】
【図１】この発明を携帯情報端末機に適用した一実施形態を示した正面図である。
【図２】図１に示された携帯情報端末機を裏面側から見た斜視図である。
【図３】図２に示された携帯情報端末機のＡ−Ａ矢視における拡大断面図である。
【図４】図２に示された携帯情報端末機の電池蓋を斜め上側から見て示した拡大斜視図である。
【図５】図４に示された携帯情報端末機の電池蓋を斜め下側から見て示した拡大斜視図である。
【図６】図５に示された携帯情報端末機の電池蓋において、防水パッキンを取り外した状態を示した拡大斜視図である。
【図７】図６に示された電池蓋を下側から見て示した拡大裏面図である。
【図８】図５に示された電池蓋のＢ−Ｂ矢視における拡大断面図である。
【図９】図８に示された電池蓋の要部を更に拡大して示した断面図である。
【図１０】図６に示された電池蓋の外側蓋部を斜め下側から見て示した拡大斜視図である。
【図１１】図６に示された電池蓋の内側蓋部を斜め上側から見て示した拡大斜視図である。
【図１２】図１１に示された電池蓋の内側蓋部を斜め下側から見て示した拡大斜視図である。
【図１３】図１１に示された内側蓋部を側方から見て示した拡大側面図である。
【図１４】図５に示された電池蓋の防水パッキンを示した拡大斜視図である。
【発明を実施するための形態】
【００１４】
以下、図１〜図１４を参照して、この発明を携帯情報端末機に適用した一実施形態について説明する。
この携帯情報端末機は、図１および図２に示すように、機器ケース１を備えている。この機器ケース１は、上部ケース２と下部ケース３とかなっている。この機器ケース１内には、表示部４およびキー入力部５が上部ケース２の上面側に露出した状態で設けられている。下部ケース３の下面には、電池蓋６が着脱可能に取り付けられている。
【００１５】
この場合、表示部４は、液晶表示パネルやＥＬ（エレクトロルミネッセンス）表示パネルなどの平面型の表示パネルからなり、情報処理に伴う各種の情報を電気光学的に表示するように構成されている。キー入力部５は、文字キー、カーソルキー、ファンクションキーなどの情報処理に必要な各種のキーを備えている。また、下部ケース３の内部には、図３に示すように、電池（図示せず）を収納する電池収納部７が、キー入力部５の下側に対応した状態で、下部ケース３の下側（図２では上側）に開放されて設けられている。
【００１６】
また、この機器ケース１は、図１および図２に示すように、全体が前後方向（図１では上下方向）に長いほぼ長方形の箱形状に形成されている。この機器ケース１は、図１に示すように、表示部４が設けられている上辺側の部分における前後方向と直交する幅方向（図１では左右方向）の長さが、キー入力部５が設けられている下辺側の部分の幅方向の長さよりも、少し長く形成されている。
【００１７】
これにより、この機器ケース１は、キー入力部５に位置する下辺側の部分が握り部１ａに形成されている。すなわち、この機器ケース１は、キー入力部５に位置する下辺側の握り部１ａを手で握ることにより、片手で持ち、この状態で表示部４に表示された情報を見ながらキー入力部５を入力操作するように構成されている。
【００１８】
ところで、電池蓋６は、図２および図３に示すように、キー入力部５に対応する箇所の下部ケース３内に設けられた電池収納部７の開口部７ａを開閉可能に塞ぐように構成されている。この電池蓋６は、図３〜図６に示すように、下部ケース３の外形の一部を形成する外側蓋部１１と、この外側蓋部１１の内側（図３では下側）に取り付けられて、下部ケース３に設けられた電池収納部７の開口部７ａ内に挿脱可能に挿入して配置されている内側蓋部１２とを備えている。
【００１９】
外側蓋部１１は、図３〜図８に示すように、軟質の合成樹脂からなる第１蓋部１３と、この軟質の合成樹脂よりも硬質の合成樹脂からなる第２蓋部１４とを備え、これらが２色成形によって一体に形成されている。この場合、第１蓋部１３は、ゴムやエラストマーなどの弾力を有する軟質の合成樹脂からなり、下部ケース３に対する外側（図８では上側）に位置している。
【００２０】
また、この第１蓋部１３は、図２および図３に示すように、その外周面（図３では上面）が下部ケース３の下面と連続する湾曲面１３ａに形成されている。これにより、第１蓋部１３は、機器ケース１の握り部１ａを手で握った際に、第１蓋部１３の湾曲面１３ａによって手のひらに良好に密接するように構成されている。
【００２１】
第２蓋部１４は、ＡＢＳ樹脂やポリカーボネート（ＰＣ）などの硬質の合成樹脂からなり、図５〜図８に示すように、下部ケース３の下面に対面する内側（図８では下側）に位置している。この第２蓋部１４の内側面（図８では下面）には、図１０に示すように、補強リブ１４ａが縦横に格子状に形成されている。この補強リブ１４ａの所定箇所には、図１０に示すように、ねじ穴１４ｃを有する複数のボス部１４ｂが形成されている。
【００２２】
この場合、第２蓋部１４は、図３に示すように、その外形が下部ケース３に設けられた電池収納部７の開口部７ａよりも少し大きく形成され、電池収納部７の開口部７ａの外部に位置する縁部に当接するように構成されている。また、この第２蓋部１４の一端部（図２では上辺側の端部）の両側に位置する各角部には、図２、図４〜図７に示すように、下部ケース３に設けられた一対の取付部材１５がそれぞれ装着する一対の取付凹部１６が設けられている。
【００２３】
この一対の取付凹部１６は、図４〜図７、図１０に示すように、第２蓋部１４の各角部をほぼ半円形状に切り欠いて形成されており、この切り欠いて形成された取付凹部１６の内周面における下部には、鍔部１６ａが設けられている。これにより、外側蓋部１１は、下部ケース３の一対の取付部材１５が一対の取付凹部１６内に側方から挿脱可能に挿入して、取付部材１５が鍔部１６ａ上に配置されることにより、鍔部１６ａが下部ケース３に押え付けられて、下部ケース３に取り付けられるように構成されている。
【００２４】
この場合、一対の取付部材１５は、図２に示すように、下部ケース３の下面（図２でが上面）にその面方向に回転可能に取り付けられたアーム部１５ａと、このアーム部１５ａの先端部に設けられた円板状の押え部１５ｂとを備えた構成になっている。これにより、一対の取付部材１５は、アーム部１５ａを横方向（図２では左右方向）に回転させて押え部１５ｂを外側蓋部１１の各取付凹部１６内に側方から挿入させることにより、外側蓋部１１を下部ケース３に押し付けるように構成されている。
【００２５】
一方、内側蓋部１２は、第２蓋部１４と同様、ＡＢＳ樹脂やポリカーボネート（ＰＣ）などの硬質の合成樹脂からなり、図３、図５〜図７に示すように、外側蓋部１１の第２蓋部１４の下面に複数のビス１７によって取り付けられるように構成されている。この内側蓋部１２は、図３に示すように、その外形が下部ケース３に設けられた電池収納部７の開口部７ａの内周面とほぼ同じか、それよりも少し小さい形状に形成されている。
【００２６】
すなわち、この内側蓋部１２は、図３、図５〜図８に示すように、外側蓋部１１の外形よりも少し小さい上板部１２ａと、その縁部に垂下された枠状の側板部１２ｂとからなり、この上板部１２ａと側板部１２ｂとが電池収納部７の開口部７ａ内に挿入するように構成されている。この場合、側板部１２ｂの外周部には、図１１〜図１３に示すように、パッキン溝１８が内側蓋部１２の外周に沿って環状に連続して設けられている。
【００２７】
このパッキン溝１８は、図８および図９に示すように、内側蓋部１２の外周面に形成された段差状の切欠き部であり、外側蓋部１１に対向する上面側と内側蓋部１２の外周側との互いに直交する２方向にそれぞれ開放されている。これにより、パッキン溝１８は、図５に示すように、その内部に防水パッキン２０が内側蓋部１２の外周に沿って環状に連続した状態で装着されるように構成されている。
【００２８】
この防水パッキン２０は、図１４に示すように、ゴムなどの弾性部材からなり、断面がほぼ円形状に形成されている。この場合、防水パッキン２０は、図８および図９に示すように、内側蓋部１２のパッキン溝１８内に配置された際に、その一部がパッキン溝１８内から内側蓋部１２の外周側の外部に突出するように、パッキン溝１８の円周方向の深さよりも少し太く形成されている。
【００２９】
すなわち、パッキン溝１８は、図６、図８および図９に示すように、内側蓋部１２が外側蓋部１１における第２蓋部１４の下面に取り付けられた際に、パッキン溝１８の上面側が外側蓋部１１の第２蓋部１４における外周部の下面によって覆われることにより、内側蓋部１２の外周側のみに開放されるように構成されている。これにより、防水パッキン２０は、図５、図８および図に示すように、パッキン溝１８内に装着された際に、その一部が内側蓋部１２の外周側のみに突出するように構成されている。
【００３０】
また、この内側蓋部１２の上板部１２ａには、図７、図１１および図１２に示すように、複数のビス１７が挿入する複数のビス挿入孔１９が、外側蓋部１１の第２蓋部１４に設けられた複数のボス部１４ｂに対応して設けられている。これにより、内側蓋部１２は、図３および図７に示すように、複数のビス挿入孔１９にその下側から複数のビス１７がそれぞれ挿入して外側蓋部１１の第２蓋部１４の下面に設けられた複数のボス部１４ｂの各ねじ穴１４ｃに螺入して締め付けられることにより、外側蓋部１１に取り付けられるように構成されている。
【００３１】
次に、このような電池蓋６を製作する場合について説明する。
この場合には、外側蓋部１１と内側蓋部１２とを別々に製作する。まず、外側蓋部１１を製作する場合には、成形用の金型によって２色成形することにより、ゴムやエラストマーなどの軟質の合成樹脂からなる第１蓋部１３と、この軟質の合成樹脂よりも硬質のＡＢＳ樹脂やポリカーボネートなどの硬質の合成樹脂からなる第２蓋部１４とを、一体に成形する。
【００３２】
このときには、例えば、硬質の合成樹脂からなる第２蓋部１４を第１成形用の金型で成形し、この第１成形用の金型で成形された第２蓋部１４を第２成形用の金型内に配置し、この状態で軟質の合成樹脂からなる第１蓋部１３を成形する。これにより、第１蓋部１３と第２蓋部１４とが２色成形によって一体に形成された外側蓋部１１が製作される。
【００３３】
また、内側蓋部１２を成形する場合には、第２蓋部１４と同様、ＡＢＳ樹脂やポリカーボネートなどの硬質の合成樹脂を成形用の金型内に射出させることにより製作される。このときには、図１０〜図１３に示すように、内側蓋部１２の外周部にパッキン溝１８が、外側蓋部１１に対向する上面側と内側蓋部１２の外周側との互いに直交する２方向にそれぞれ開放された状態で、内側蓋部１２の外周に沿って連続して形成される。
【００３４】
この場合、内側蓋部１２のパッキン溝１８は、アンダーカット形状やオーバーハング形状でないため、内側蓋部１２を成形用の金型で成形する際に、金型内にスライド機構を設けずに、図１３に示すパーティングライン（ＰＬ）で上金型と下金型とに分割して型抜きすることができ、これにより成形用の金型が単純な構造になり、この成形用の金型で内側蓋部１２を容易に成形することができる。
【００３５】
次に、外側蓋部１１に内側蓋部１２を取り付ける。このときには、図３に示すように、内側蓋部１２に設けられた複数のビス挿入孔１９にその下側から複数のビス１７をそれぞれ挿入させて外側蓋部１１の第２蓋部１４の下面に設けられた複数のボス部１４ｂの各ねじ穴１４ｃに螺入させて締め付ける。これにより、外側蓋部１１に内側蓋部１２が取り付けられる。
【００３６】
このように、外側蓋部１１に内側蓋部１２が取り付けられた際には、図８および図９に示すように、内側蓋部１２の上部外周に形成されたパッキン溝１８の上面側が、外側蓋部１１の第２蓋部１４における外周部の下面によって覆われる。このため、パッキン溝１８が、図６に示すように、内側蓋部１２の外周側のみに開放された状態になる。そして、このパッキン溝１８内に防水パッキン２０を装着する。このときには、図９に示すように、防水パッキン２０の一部がパッキン溝１８から内側蓋部１２の外周側に突出した状態で、パッキン溝１８内に装着される。
【００３７】
次に、このような電池蓋６を下部ケース３に取り付けて電池収納部７の開口部７ａを塞ぐ場合について説明する。
このときには、図３に示すように、電池蓋６の内側蓋部１２を下部ケース３の電池収納部７の開口部７ａに対応させ、この状態で内側蓋部１２を電池収納部７の開口部７ａに挿入させて、外側蓋部１１の第２蓋部１４を電池収納部７の開口部７ａの外側縁部に当接させる。
【００３８】
すると、内側蓋部１２の外周面のパッキン溝１８内に装着された防水パッキン２０の一部が電池収納部７の開口部７ａの内周面に弾接して密接する。これにより、電池収納部７の開口部７ａが内側蓋部１２によって密閉される。この状態で、図２に示すように、下部ケース３に設けられた一対の取付部材１５によって電池蓋６を下部ケース３に固定する。
【００３９】
このときには、一対の取付部材１５の各アーム部１５ａを横方向に回転させて、外側蓋部１１に設けられた一対の取付凹部１６内にその側方から各押え部１５ｂを挿入させる。すると、この一対の取付凹部１６内にそれぞれ設けられた各鍔部１６ａ上に一対の取付部材１５の各押え部１５ｂが配置され、この一対の取付部材１５の押え部１５ｂによって各鍔部１６ａが下部ケース３に押え付けられる。これにより、電池蓋６が電池収納部７を密閉した状態で下部ケース３に取り付けられる。
【００４０】
ところで、このような携帯情報端末機では、機種に応じて電池容量が異なり、これに伴って電池収納部７の大きさも機種によって異なっている場合がある。このような場合には、電池収納部７の開口部７ａの大きさに応じて内側蓋部１２を交換するだけで、簡単に且つ容易に対処することができる。すなわち、ビス１７を取り外すことにより、内側蓋部１２を外側蓋部１１から容易に取り外して、電池収納部７の開口部７ａの大きさに応じた内側蓋部１２と交換することにより、電池収納部７の開口部７ａの大きさ異なっても対処することができる。
【００４１】
このように、この電池蓋６によれば、機器ケース１の外形の一部を形成する外側蓋部１１と、この外側蓋部１１の内側に取り付けられて電池収納部７の開口部７ａに挿脱可能に挿入する内側蓋部１２とを備え、この内側蓋部１２の外周部に、外側蓋部１１側と内側蓋部１２の外周側との互いに直交する２方向にそれぞれ開放されたパッキン溝１８を、外側蓋部１１の外周よりも中心側に位置した状態で、内側蓋部１２の外周に沿って設けた構成であるから、成型用の金型が単純な構造で、安価に製作することができ、且つ防水性を確保することができる。
【００４２】
すなわち、この電池蓋６では、外側蓋部１１の内側に内側蓋部１２を取り付けた際に、内側蓋部１２の外周部に形成されたパッキン溝１８を、外側蓋部１１の外周部が覆って内側蓋部１２の外周側のみに開放させた状態に形成することができ、これにより内側蓋部１２の外周側のみに開放されたパッキン溝１８に防水パッキン２０を確実に且つ良好に装着することができるので、防水性を確保することができる。
【００４３】
また、内側蓋部１２を成形用の金型で成形する際には、内側蓋部１２にアンダーカット形状やオーバーハング形状のパッキン溝を形成する必要がないので、金型内にスライド機構を設けずに、パーティングライン（ＰＬ）で金型を分離させるだけで、型抜きすることができる。このため、成型用の金型を単純な構造にすることができると共に、成形用の金型および内側蓋部１２を安価に製作することができるほか、パッキン溝１８付近の肉厚を厚く形成して肉厚を補強することができるので、パッキン溝１８を強固に形成することができる。
【００４４】
これにより、パッキン溝１８内に防水パッキン２０を確実に且つ良好に装着することができると共に、防止パッキン２０の一部をパッキン溝１８から内側蓋部１２の外周側に突出させることができるので、内側蓋部１２を電池収納部７の開口部７ａ内に挿入させた際に、パッキン溝１８内から突出した防止パッキン２０の一部を電池収納部７の開口部７ａの内周面に確実に且つ良好に弾接させることができ、これにより電池収納部７の開口部７ａを確実に密閉することができるので、防水性を確保することができる。
【００４５】
また、この電池蓋６では、外側蓋部１１と内側蓋部１２とを別々に成形しているので、外側蓋部１１と内側蓋部１２とを一体に成形する場合に比べて、外側蓋部１１と内側蓋部１２とをそれぞれ成形する際に、外側蓋部１１と内側蓋部１２とがパッキン溝１８によって形状の制約を受けることが少なくなり、このため外側蓋部１１と内側蓋部１２とを自由な形状に形成することができる。
【００４６】
この場合、外側蓋部１１は、弾力を有する軟質の合成樹脂からなる第１蓋部１３と、この軟質の合成樹脂よりも硬質の合成樹脂からなる第２蓋部１４とを、下部ケース３に対する外側に第１蓋部１３が位置し、その内側に第２蓋部１４が位置した状態で、２色成形した構成であることにより、外側蓋部１１を簡単に且つ容易に製作することができると共に、耐衝撃性の高いものを得ることができる。
【００４７】
すなわち、外側蓋部１１は、弾力を有する軟質の合成樹脂からなる第１蓋部１３が機器ケース１に対する外側に設けられ、この第１蓋部１３の内側に硬質の合成樹脂からなる第２蓋部１４が設けられていることにより、外側蓋部１１が落下などの衝撃を受けた際に、その衝撃を第１蓋部１３によって弾力的に吸収することができると共に、第１蓋部１３で吸収されなかった衝撃を第２蓋部１４で確実に且つ良好に受け止めることができ、これにより高さ２ｍ程度の落下による衝撃に耐えることができるので、耐衝撃性を十分に高めることができる。
【００４８】
また、この外側蓋部１１の第１蓋部１３は、その外側面が下部ケース３の下面に連続する湾曲面１３ａに形成されていることにより、下部ケース３に電池蓋６を取り付けて機器ケース１の握り部１ａを手で握った際に、第１蓋部１３の湾曲面１３ａによって手のひらを良好に密接させることができる。この場合、第１蓋部１３はゴムやエラストマーなどの弾性を有する合成樹脂で形成されているため、機器ケース１を握った際に電池蓋６の感触が良く、機器ケース１を握り易くすることができる。
【００４９】
また、この外側蓋部１１は、第２蓋部１４における内側蓋部１２に対向する対向面に補強リブ１４ａが縦横に設けられていることにより、第２蓋部１４の全体の厚みが厚くても、補強リブ１４ａによって第２蓋部１４の肉厚を薄く形成して第２蓋部１４の重量を軽くすることができると共に、肉厚を薄く形成しても、補強リブ１４ａによって第２蓋部１４の強度を確保することができるほか、第２蓋部１４の成形時に補強リブ１４ａによって第２蓋部１４の表面（図１２では上面）にヒケが発生するのを軽減することができ、これにより第２蓋部１４を良好に成形することができる。
【００５０】
さらに、この電池蓋６によれば、外側蓋部１１と内側蓋部１２とがビス１７によって相互に固定されているので、外側蓋部１１と内側蓋部１２とを簡単に且つ容易に取り付けることができる。このため、例えば携帯情報端末機の機種に応じて電池容量が異なり、これに伴って電池収納部７の大きさが異なっている場合には、内側蓋部１２を外側蓋部１１から容易に取り外して、電池収納部７の開口部７ａの大きさに応じた内側蓋部１２と交換するだけで、機種によって電池収納部７の大きさが異なっても、簡単に且つ容易に対処することができる。
【００５１】
なお、上述した実施形態では、蓋部材として機器ケース１の電池収納部７を塞ぐ電池蓋６について述べたが、必ずしも電池蓋６である必要なく、例えば、外部接続端子の端子収納部やメモリーカードのカード収納部などの各種の収納部を塞ぐ蓋部材にも広く適用することができる。
【００５２】
また、上述した実施形態では、携帯情報端末に適用した場合について述べたが、必ずしも携帯情報端末機である必要はなく、例えば、携帯電話機や電子カメラ、電子辞書、携帯型の音楽プレーヤなどの各種の携帯機器に広く適用することができる。
【符号の説明】
【００５３】
１  機器ケース
２  上部ケース
３  下部ケース
６  電池蓋
７  電池収納部
７ａ  開口部
１１  外側蓋部
１２  内側蓋部
１３  第１蓋部
１４  第２蓋部
１４ａ  補強リブ
１７  ビス
１８  パッキン溝
２０  防水パッキン
【図１】
0005556648.tif 000002
【図２】
0005556648.tif 000003
【図３】
0005556648.tif 000004
【図４】
0005556648.tif 000005
【図５】
0005556648.tif 000006
【図６】
0005556648.tif 000007
【図７】
0005556648.tif 000008
【図８】
0005556648.tif 000009
【図９】
0005556648.tif 000010
【図１０】
0005556648.tif 000011
【図１１】
0005556648.tif 000012
【図１２】
0005556648.tif 000013
【図１３】
0005556648.tif 000014
【図１４】
0005556648.tif 000015